(57)【特許請求の範囲】
【請求項１】
釣り竿に装着され、前記釣り竿の軸方向に沿う軸回りに釣り糸を巻き取るスピニングリールであって、
前記釣り竿の軸方向と交差する軸回りに回転するハンドルを有し、前記釣り竿に装着されるリール本体と、
前記リール本体に前後に沿って装着されたスプール軸と、
前記スプール軸の先端に装着され外周に釣り糸が巻き付けられるスプールと、
前記スプールの外周側に配置され釣り糸を前記スプールに巻き付けるための釣り糸案内部を有し、前記リール本体に回転自在に支持されたロータと、
前記リール本体に回転自在に支持され前記ハンドルに回転不能に装着されたフェースギアと、
前記釣り竿の軸方向に沿う軸回りに回転自在に前記リール本体に装着されかつ内部を前記スプール軸が隙間をあけて貫通する筒状の本体部と、前記本体部の後部外周に設けられ前記フェースギアに噛み合う歯部と、前記本体部の前部外周に設けられ前記ロータを回転不能に装着するロータ装着部と、前記本体部の内周に前端から隙間をあけて設けられ前記スプール軸を前後移動自在に支持する第１支持部とを有するピニオンギアと、
前記ロータを前記ロータ装着部に固定するために前記本体部の前端から装着される固定ナットと、備え、
前記ロータ装着部は、前記ロータを回転不能に係止するために前記本体部の前部外周に設けられた係止部と、前記ロータを前記固定ナットにより固定するために前記係止部の前部に形成された雄ネジ部とを有し、
前記第１支持部は、前記固定ナットの後方内周側に設けられており、
前記ピニオンギアは、後部内周に設けられ前記スプール軸を前後移動自在に支持する第２支持部をさらに有する、スピニングリール。
【請求項２】
前記第１支持部及び第２支持部の少なくとも一方は、前記本体部と一体で設けられている、請求項１に記載のスピニングリール。
【請求項３】
前記第１支持部及び第２支持部の少なくとも一方は、前記本体部と別に設けられた転がり軸受で構成される、請求項１に記載のスピニングリール。
【請求項４】
前記第１支持部及び第２支持部の少なくとも一方は、前記本体部と別に設けられた滑り軸受で構成される、請求項１に記載のスピニングリール。
【請求項５】
前記第１支持部及び第２支持部の他方は、前記本体部と一体で設けられている、請求項２から４のいずれかに記載のスピニングリール。
【発明の詳細な説明】
【０００１】
【発明の属する技術分野】
本発明は、釣り用リール、特に、釣り竿に装着され、釣り竿の軸方向に沿う軸回りに釣り糸を巻き取るスピニングリールに関する。
【０００２】
【従来の技術】
スピニングリールは、一般に、釣り竿の軸方向に沿う軸回りに釣り糸を巻き取るリールである。スピニングリールは、ハンドルを有し釣り竿に装着されるリール本体と、リール本体に前後移動自在に装着されたスプールと、スプールに釣り糸を案内するロータと、ハンドルの回転に連動してロータを回転させるロータ駆動機構とを備えている。
【０００３】
このロータ駆動機構は、ハンドルに回転不能に装着されたフェースギアと、フェースギアに噛み合うピニオンギアとを有している。ピニオンギアは、リール本体の前後に沿って配置された筒状体であり、リール本体に回転自在に支持されている。
【０００４】
ピニオンギアの外周後部には、フェースギアに噛み合う歯部が形成されている。また前部外周には、ロータを回転不能に装着するための面取り部が形成されている。この面取り部には、雄ネジ部が形成されており、この雄ネジ部にロータを固定するための固定ナットが装着されている。ピニオンギアの内周部には、スプールを先端に装着したスプール軸が貫通しており、スプール軸は、ピニオンギアの内周部に前後移動自在に支持されている。これにより、スプール軸は、ピニオンギアを介してリール本体に前後移動自在に装着される。ピニオンギアはしんちゅう製の部材であり、スプール軸は、通常、ピニオンギアの内周面の全長に接触して支持されている。
【０００５】
このような構成の従来のスピニングリールでは、スプール軸がピニオンギアの内周面の全長で支持されているので、スプールに大きな負荷が作用してスプール軸がたわんだ時に、ピニオンギアの内周部とスプール軸との接触圧力が増加してスプール軸とピニオンギアとの摩擦力が増加することがある。両者の摩擦力が増加するとピニオンギアが回りにくくなり、ロータの回転効率が低下し釣り糸の巻き上げ効率が低下する。
【０００６】
そこで、特開平１１−２０６２８７号公報には、ピニオンギアの内周面とスプール軸との間に隙間をあけるとともに、ピニオンギアの前後部内周側でスプール軸を軸方向移動自在に支持するための１対の支持部を設けたものが開示されている。
【０００７】
【発明が解決しようとする課題】
前記従来の構成では、スプール軸がたわんでもスプール軸とロータとの摩擦力が増加しにくくなり、ロータの回転効率の低下を抑えることができる。しかし、ピニオンギアの前部のうち、特に前端でスプール軸を支持すると、固定ナットを締めたとき、締め付けトルクが大きすぎるとピニオンギアが内側に圧縮されて第１支持部でスプール軸を締め付けるおそれがある。このようにスプール軸を締め付けると、スプール軸の前後移動がギクシャクしてスムーズに前後移動しにくくなる。
【０００８】
本発明の課題は、負荷の増大によるロータの回転効率の低下を抑え、かつ固定ナットの締め付けトルクに関わらずスプール軸をスムーズに前後移動できるようにすることにある。
【０００９】
【課題を解決するための手段】
発明１に係るスピニングリールは、釣り竿に装着され、釣り竿の軸方向に沿う軸回りに釣り糸を巻き取るリールであって、リール本体と、スプール軸と、スプールと、ロータと、フェースギアと、ピニオンギア、固定ナットとを備えている。リール本体は、釣り竿の軸方向と交差する軸回りに回転するハンドルを有し、釣り竿に装着されるものである。スプール軸は、リール本体に前後に沿って装着されたものである。スプールは、スプール軸の先端に装着され外周に釣り糸が巻き付けられるものである。ロータは、スプールの外周側に配置され釣り糸をスプールに巻き付けるための釣り糸案内部を有し、リール本体に回転自在に支持されたものである。フェースギアは、リール本体に回転自在に支持されハンドルに回転不能に装着されたギアである。ピニオンギアは、釣り竿の軸方向に沿う軸回りに回転自在にリール本体に装着されかつ内部をスプール軸が貫通する筒状の本体部と、本体部の後部外周に設けられフェースギアに噛み合う歯部と、本体部の前部外周に設けられロータを回転不能に装着するロータ装着部と、本体部の内周に前端から隙間をあけて設けられスプール軸を前後移動自在に支持する第１支持部とを有するギアである。固定ナットは、ロータをロータ装着部に固定するために本体部の前端から装着されるナットである。ロータ装着部は、ロータを回転不能に係止するために本体部の前部外周に設けられた係止部と、ロータを固定ナットにより固定するために係止部の前側に形成された雄ネジ部とを有し、第１支持部は、固定ナットの後方内周側に設けられている。ピニオンギアは、後部内周に設けられスプール軸を前後移動自在に支持する第２支持部をさらに有する。
【００１０】
このスピニングリールでは、ピニオンギアにロータを固定する際には、ロータをロータ装着部に装着し、固定ナットをロータの本体部の前端から装着してロータをピニオンギアに固定する。このとき、第１支持部がピニオンギアの前端から隙間をあけて設けられているので、前端から固定ナットを装着したときに、締め付けすぎて本体部前端が内側に圧縮しても隙間でそのひずみが吸収される。このため、第１支持部でスプール軸を締め付けにくくなり、固定ナットの締め付けトルクに関わらずスプール軸をスムーズに前後移動できる。また、スプール軸が負荷によりたわんでも、スプール軸を前部内周の第１支持部で支持しているだけで他の部分では支持していないので、他の部分とスプール軸との間に隙間があきピニオンギアがスプール軸に接触しにくい。このため、スプール軸がたわんでもスプール軸とピニオンギアとの摩擦力の増加が生じにくくなり、負荷が増大してもロータの回転効率が低下しにくい。
【００１１】
また、第１支持部が固定ナットの後方内周側に設けられるので、雄ネジ部より後方に位置する。このため、固定ナットを締め付け過ぎても圧縮による影響を受けにくくなり、スプール軸をスムーズに前後移動できる。
【００１２】
さらに、ピニオンギアは、後部内周に設けられスプール軸を前後移動自在に支持する第２支持部をさらに有する。このため、スプール軸がピニオンギアのみで支持されるので、スプール軸を精度よく支持できる。
【００１３】
発明２に係るスピニングリールは、発明１に記載のリールにおいて、第１支持部及び第２支持部の少なくとも一方は、本体部と一体で設けられている。この場合には、本体部と２つの支持部の少なくともいずれか一方が一体で設けられているので、部品点数を削減することができ、コストダウンを図ることができる。また、ピニオンギアの外径を小さくすることができ、スピニングリールの小型化をより図りやすい。
【００１４】
発明３に係るスピニングリールは、発明１に記載のリールにおいて、第１支持部及び第２支持部の少なくとも一方は、本体部と別に設けられた転がり軸受で構成される。この場合には、転がり軸受によりピニオンギアの回転抵抗が小さくなり、回転効率がさらに向上する。
【００１５】
発明４に係るスピニングリールは、発明１に記載のリールにおいて、第１支持部及び第２支持部の少なくとも一方は、本体部と別に設けられた滑り軸受で構成される。この場合には、滑り軸受は内外径の差を転がり軸受に比べて小さく設定できるので、ピニオンギアの外径を小さくすることができ、スピニングリールの小型化を図りやすい。
【００１６】
発明５に係るスピニングリールは、発明２から４のいずれかに記載のリールにおいて、第１支持部及び第２支持部の他方は、本体部と一体で設けられている。この場合には、本体部と２つの支持部の他方が一体で設けられているので、部品点数を削減することができ、コストダウンを図ることができる。また、ピニオンギアの外径を小さくすることができ、スピニングリールの小型化をより図りやすい。
【００１７】
【発明の実施の形態】
図１において、本発明の一実施形態によるスピニングリールは、釣り竿Ｒに装着され、釣り竿Ｒの軸方向に沿う軸回りに釣り糸を巻き取るリールであって、ハンドル１を有するリール本体２と、ロータ３と、スプール４とを備えている。ロータ３は、リール本体２の前部に回転自在に支持されており、釣り糸をスプール４に巻き付けるためのものである。スプール４は、釣り糸を外周面に巻き取るものであり、ロータ３の前部に前後移動自在に配置されている。
【００１８】
ハンドル１は、図２に示すように、Ｔ字状の把手部１ａと、先端に把手部１ａが回転自在に装着されたＬ字状のクランクアーム１ｂと、クランクアーム１ｂの基端に固定された軸部１ｃとを有している。クランクアーム１ｂは、基端側においてワンタッチで折れ曲がり可能である。軸部１ｃは、図３に示すように断面が矩形の棒状部材である。なお、ハンドル１は、図１及び図３に示す右位置と、図２に示す左位置との左右どちらの装着位置でもリール本体２に装着可能である。
【００１９】
リール本体２は、左側部に開口２ｃを有するリールボディ２ａと、リールボディ２ａから斜め上前方に一体で延びるＴ字状の竿取付脚２ｂと、リールボディ２ａの開口２ｃを閉塞するための蓋体２ｄとを有している。
【００２０】
リールボディ２ａは、図２及び図３に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００２１】
図４に示すように、リールボディ２ａの図４右側面には、筒状のボス部１７ａが形成されている。ボス部１７ａは、ハンドル軸１０（後述）の図４右端を支持する軸受１６ａを収納するためにリールボディ２ａの内方に突出して形成されている。蓋体２ｄのボス部１７ａに対向する位置には、ボス部１７ｂが形成されている。ボス部１７ｂはハンドル軸１０の図４左端を支持する軸受１６ｂを収納するためにリールボディ２ａの外方に突出して形成されている。ハンドル１が装着された側と逆側のボス部（図４ではボス部１７ａ）は、軸カバー１９により閉塞されている。ハンドル１が装着された側のボス部（図４ではボス部１７ｂ）は、孔あきカバー１９ｂにより水の侵入が防止されている。軸カバー１９及び孔あきカバー１９ｂは、図１に示すように、楕円形の部材であり、それぞれ２本のビス１９ａによりボス部に取り付けられる。なお、外方に突出していないボス部１７ａには、軸カバー１９及び孔あきカバー１９ｂを面一に装着するための楕円形の窪み１８ａが形成されている。
【００２２】
ロータ駆動機構５は、ハンドル１が回転不能に装着されたハンドル軸１０と、ハンドル軸１０とともに回転するフェースギア１１と、このフェースギア１１に噛み合うピニオンギア１２とを有している。ハンドル軸１０の両端は、軸受１６ａ，１６ｂを介してリールボディ２ａに回転自在に支持されている。ハンドル軸１０の図４右端は、軸受１６ａの外側面より内側に位置している。ハンドル軸１０の中心部には断面が矩形の貫通孔１０ａが形成されており、この貫通孔１０ａにハンドル１の軸部１ｃが回転不能に挿入される。軸部１ｃの先端面にはネジ孔１ｄが形成されており、このネジ孔１ｄに螺合する取付ネジ２０によりハンドル１がハンドル軸１０に取り付けられている。取付ネジ２０は、たとえば丸頭や平頭の頭部２０ａと、頭部２０ａより小径のネジ軸部２０ｂとを有しており、頭部２０ａの外径は軸受１６ａの内径より小径でかつ貫通孔１０ａの径より大径である。ハンドル軸１０の右端が軸受１６ａの内側に位置しかつ取付ネジ２０の頭部２０ａが軸受１６ａの内径より小径のため、取付ネジ２０は、軸受１６ａの内側でハンドル軸１０にハンドル１の軸部１ｃを取付可能である。このため、図４右側のボス部１７ａを外方に突出させる必要がなくなり、リールボディ２ａの表面を滑らかな面にすることができる。
【００２３】
ピニオンギア１２は、図５に示すように、釣り竿の軸方向に沿う軸回りに回転自在にリール本体２に装着されており、その前部１２ａはロータ３の中心部を貫通しており、固定ナット１３によりロータ３と固定されている。ピニオンギア１２は、リール本体２に回転自在に装着された本体部１２ｂと、歯部１２ｃと、ロータ装着部１２ｄと、第１及び第２支持部１２ｅ，１２ｆとを有している。
【００２４】
本体部１２ｂは、たとえば高張力しんちゅう製の筒状の部材であり、その軸方向の中間部と後端部とが、それぞれ軸受１４ａ，１４ｂを介してリール本体２に回転自在に支持されている。この本体部１２ｂの内部をスプール軸１５が貫通している。
【００２５】
歯部１２ｃは、本体部１２ｂの後部外周に、たとえばはす歯状に形成されており、フェースギア１１に噛み合っている。この歯部１２ｃは、オシレーティング機構６にも噛み合っている。
【００２６】
ロータ装着部１２ｄは、本体部１２ｂの前部外周に面取り形成された対向する平坦面からなる係止部１２ｈと、係止部１２ｈの前側に形成された雄ネジ部１２ｇとにより構成され、ロータ３を回転不能に装着する。雄ネジ部１２ｇは、ロータ装着部１２ｄの前側外周面に形成されており、この雄ネジ部１２ｇに固定ナット１３が螺合する。固定ナット１３は、図１に示すように、リテーナ１３ａにより回り止めされている。リテーナ１３ａは、前壁３３にネジ１３ｂにより固定されている。
【００２７】
第１支持部１２ｅは、本体部１２ｂの係止部１２ｈ形成部分の後側内周に突出して一体形成された滑り軸受である。第１支持部１２ｅは、本体部１２ｂの内周部前端から間隔を隔ててロータ装着部１２ｄの内周側に形成されている。第１支持部１２ｅはスプール軸１５を前後移動自在に支持する。第２支持部１２ｆは、本体部１２ｂの後部内面に内側に突出して一体で形成された滑り軸受である。
【００２８】
この結果、本体部１２ｂの内周面は、第１支持部１２ｅの前方及び第１支持部１２ｅと第２支持部１２ｆとの間にスプール軸１５との間で隙間が形成されている。このため、スプール４に重負荷が作用してスプール軸１５がたわんでもピニオンギア１２との摩擦力は増加せず、ロータ３の回転効率が低下しにくい。また、固定ナット１３の締め付けトルクが大きすぎて本体部１２ｂの前端部が内方に圧縮しても第１支持部１２ｅがスプール軸１５を締め付けにくくなり、スプール軸１５をスムーズに前後移動させることができる。また、２つの支持部１２ｅ，１２ｆを本体部１２ｂと一体形成しているので、部品点数が少なくなりコストダウンを図れる。
【００２９】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２の歯部１２ｃに噛み合っている。
【００３０】
ロータ３は、図３に示すように、円筒部３０と、円筒部３０の側方に互いに対向して設けられた第１及び第２ロータアーム３１，３２とを有している。円筒部３０と両ロータアーム３１，３２とは、たとえばアルミニウム合金製であり一体成形されている。
【００３１】
円筒部３０の前部には前壁３３が形成されており、前壁３３の中央部にはボス部３３ａが形成されている。ボス部３３ａの中心部にはピニオンギア１２のロータ装着部１２ｄに回転不能に係止される小判形の貫通孔が形成されており、この貫通孔をピニオンギア１２の前部１２ａ及びスプール軸１５が貫通している。
【００３２】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００３３】
第２ロータアーム３２は、円筒部３０から外方に凸に湾曲して前方に延びている。第２ロータアーム３２は、先端部から円筒部３０との接続部分に向けて２股に分岐しており、円筒部３０と周方向に間隔を隔てた２カ所で接続されている。第２ロータアーム３２の先端内周側には、第２ベール支持部材４２が揺動自在に装着されている。
【００３４】
ラインローラ４１と第２ベール支持部材４２との間には線材を略Ｕ状に湾曲させた形状のベール４３が固定されている。これらの第１及び第２ベール支持部材４０，４２、ラインローラ４１及びベール４３により釣り糸をスプール４に案内するベールアーム４４が構成される。ベールアーム４４は、図３に示す糸案内姿勢とそれから反転した糸開放姿勢との間で揺動自在である。
【００３５】
第１ベール支持部材４０の外周側にはカバー４５が装着されており、カバー４５の内部にはベールアーム４４を糸開放姿勢から糸案内姿勢にロータ３の回転に連動して復帰させるとともに、両姿勢でその状態を保持するベール反転機構４６が配置されている。
【００３６】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００３７】
スプール４は、ロータ３の第１ロータアーム３１と第２ロータアーム３２との間に配置されており、スプール軸１５の先端にドラグ機構６０を介して装着されている。スプール４は、外周に釣り糸が巻かれる糸巻き胴部４ａと、糸巻き胴部４ａの後部に一体で形成されたスカート部４ｂと、糸巻き胴部４ａの前端に固定されたフランジ板４ｃとを有している。糸巻き胴部４ａは、ストレートな円筒状の部材であり、外周面はスプール軸１５と平行な周面で構成されている。糸巻き胴部４ａは、２つの軸受５６，５７によりスプール軸１５に回転自在に装着されている。フランジ板４ｃは、糸巻き胴部４ａの内周面にネジ止めされたスプールリングカラー５５により糸巻き胴部４ａに固定されている。
【００３８】
〔リールの操作及び動作〕
釣りを行う際にハンドル１の装着位置を変更したいときがある。たとえばルアーフィッシングや投げ釣りの時には、利き腕で釣り竿を操作するために図２及び図４に示すようにハンドル１をリール本体２の左側に装着することが多い。その他のときには、ハンドル１を利き腕で操作するために図１及び図３に示すようにハンドル１を右側に装着することが多い。このハンドル１の左右の装着位置は個人の好みによっても異なる。
【００３９】
ハンドル１の装着位置を図４に示す左位置から図３に示す右位置に変更する場合には、まず、２本のビス１９ａを外して軸カバー１９をボス部１７ａから取り外す。続いて、取付ネジ２０を外してハンドル１をハンドル軸１０の図４左端から引き出す。ハンドル１を引き出した後、２本のビス１９ａを外して孔あきカバー１９ｂもボス部１７ｂから取り外す。そして取り外した孔あきカバー１９ｂをボス部１７ａに２本のビス１９ａにより取り付ける。続いて引き出したハンドル１の軸部１ｃをハンドル軸１０の右端から孔あきカバー１９ｂを挿通して貫通孔１０ａに挿入する。そして、取付ネジ２０を左側のボス部１７ｂから軸部１ｃに螺合させハンドル軸１０にハンドル１を装着する。最後に軸カバー１９をボス部１７ａに２本のビス１９ａにより装着してボス部１７ａをカバーする。これでハンドル１が右側に装着される。
【００４０】
ここで、ハンドル１を図４に示すように左側に装着したときには、ボス部１７ａが外方に突出していないのでリールボディ２ａが滑らかな表面になり釣り糸が引っかかりにくい。また意匠的にも新しいものが得られる。
【００４１】
キャスティング時にはハンドル１を図４に示す左位置に装着した状態でベールアーム４４を糸開放姿勢に反転させる。これにより第１ベール支持部材４０及び第２ベール支持部材４２は揺動する。この状態で釣り竿を握る手の人差し指で釣り糸を引っかけながら釣り竿をキャスティングする。すると釣り糸は仕掛けの重さにより勢いよく放出される。この状態でハンドル１をたとえば左手で糸巻取方向に回転させると、ロータ駆動機構５のフェースギア１１及びピニオンギア１２によりロータ３が糸巻取方向に回転し、ベールアーム４４がベール反転機構４６により糸案内姿勢に復帰し釣り糸がスプール４に巻き付けられる。この状態で魚が仕掛けにかかってスプール４に重負荷がかかると、スプール軸１５がたわむことがある。しかし、ピニオンギア１２とスプール軸１５との間に隙間があいているので、ピニオンギア１２との摩擦力は増加せず、ロータ３の回転効率が低下しにくい。
【００４２】
また、ロータ３をピニオンギア１２に装着するとき、固定ナット１３の締め付けトルクが大きすぎても、ピニオンギア１２の前端との間に隙間をあけて第１支持部１２ｅが形成されているので、ピニオンギア１２の前端では、スプール軸１５との間に隙間があいている。このため、前端が固定ナット１３により圧縮されても、スプール軸１５が第１支持部１２ｅにより締め付けられにくくなる。このため、スプール軸１５がスムーズに前後移動する。
【００４３】
〔他の実施形態〕
（ａ）前記実施形態では、第１支持部１２ｅを本体部１２ｂと一体形成した滑り軸受で構成したが、図６に示すように、本体部１２ｂと別体の滑り軸受で構成してもよい。また、ニードルベアリングやボールベアリング等の転がり軸受で構成してもよい。第１支持部１２ｅを別体で構成した場合には、スプール軸１５の前後動に連動して第１支持部１２ｅが前後移動しないように、たとえば鍔付きの筒状の規制部材１３ｃをピニオンギア１２の前部１２ａの内周面に第１支持部１２ｅに当接させた状態に装着してもよい。この規制部材１３ｃは、固定ナット１３の回り止め用のリテーナ１３ａによってさらに軸方向の移動が規制されている。このように、第１支持部１２ｅを別体で構成すると、ピニオンギア１２の加工を行いやすくなる。また、転がり軸受を用いた場合、滑り軸受より外径が大きくなるので、ピニオンギアの本体部１２ｂの外径を前記実施形態より大きくする必要がある。しかし、回転抵抗はさらに低減する。
【００４４】
（ｂ）前記実施形態では、本体部１２ｂと一体で第２支持部１２ｆを構成したが、第２支持部１２ｆを本体部１２ｂと別体で形成してもよい。また、両支持部とも本体部１２ｂと別体で構成してもよい。
【００４５】
（ｃ）  前記実施形態では、スプール軸１５が回転しないフロントドラグ型のスピニングリールを例に本発明を説明したが、スプール軸が回転するリアドラグ型のスピニングリールやブレーキレバーによりロータの逆転を制動するレバーブレーキ型のスピニングリールにも本発明を適用できる。
【００４６】
【発明の効果】
本発明によれば、第１支持部がピニオンギアの前端から隙間をあけて設けられているので、前端から固定ナットを装着したときに、締め付けすぎて本体部前端が内側に圧縮しても隙間でそのひずみが吸収される。このため、第１支持部でスプール軸を締め付けにくくなり、固定ナットの締め付けトルクに関わらずスプール軸をスムーズに前後移動できる。また、スプール軸が負荷によりたわんでも、スプール軸を前部内周の第１支持部で支持しているだけで他の部分では支持していないので、他の部分とスプール軸との間に隙間があきピニオンギアがスプール軸に接触しにくい。このため、スプール軸がたわんでもスプール軸とピニオンギアとの摩擦力の増加が生じにくくなり、負荷が増大してもロータの回転効率が低下しにくい。
【図面の簡単な説明】
【図１】  本発明の一実施形態を採用したスピニングリールの右側面図。
【図２】  その背面断面図。
【図３】  その左側面断面図。
【図４】  ハンドルを左側に装着したときの図１のIV−IV断面図。
【図５】  ピニオンギアの側面断面図。
【図６】  他の実施形態の図５に相当する図。
【符号の説明】
１  ハンドル
２  リール本体
３  ロータ
４  スプール
５  ロータ駆動機構
１０  ハンドル軸
１１  フェースギア
１２  ピニオンギア
１２ｂ  本体部
１２ｃ  歯部
１２ｄ  ロータ装着部
１２ｅ  第１支持部
１２ｆ  第２支持部
１２ｇ  雄ネジ部
１２ｈ  係止部
１３  固定ナット
【図１】
0004362197.tif 000002
【図２】
0004362197.tif 000003
【図３】
0004362197.tif 000004
【図４】
0004362197.tif 000005
【図５】
0004362197.tif 000006
【図６】
0004362197.tif 000007